(57)【特許請求の範囲】
【請求項１】
アナログビデオ信号を外部から入力する入力手段と、
前記アナログビデオ信号をデジタルビデオ信号に変換する変換手段と、
前記デジタルビデオ信号を記録媒体に記録する記録手段と、
前記デジタルビデオ信号を外部に出力する出力手段と、
前記アナログビデオ信号に付加された第１のコピー管理情報及び第２のコピー管理情報を検出する検出手段と、
前記デジタルビデオ信号の前記記録媒体への記録と、前記デジタルビデオ信号の外部への出力とを、前記第１のコピー管理情報及び前記第２のコピー管理情報に従って制御する制御手段とを有し、
前記第１のコピー管理情報及び前記第２のコピー管理情報が検出されなかった場合、前記制御手段は、前記デジタルビデオ信号の前記記録媒体への記録を許可するとともに、前記デジタルビデオ信号の外部への出力を許可し、
前記第１のコピー管理情報が検出され、前記第２のコピー管理情報が検出されなかった場合、前記制御手段は、前記デジタルビデオ信号の前記記録媒体への記録を停止するとともに、前記デジタルビデオ信号の外部への出力を停止し、
前記第２のコピー管理情報が検出された場合であり、かつ、前記第２のコピー管理情報がコピーフリーを示すものである場合、前記制御手段は、前記デジタルビデオ信号の前記記録媒体への記録を許可するとともに、前記デジタルビデオ信号の外部への出力を許可し、
前記第２のコピー管理情報が検出された場合であり、かつ、前記第２のコピー管理情報がコピーフリーを示すものでない場合、前記制御手段は、前記デジタルビデオ信号の前記記録媒体への記録を停止するとともに、前記デジタルビデオ信号の外部への出力を停止することを特徴とする記録装置。
【請求項２】
前記デジタルビデオ信号を表示する表示手段をさらに有し、
前記第２のコピー管理情報がコピーフリーを示すものでない場合、前記制御手段は、前記デジタルビデオ信号を前記表示手段に表示させないようにすることを特徴とする請求項１に記載の記録装置。
【請求項３】
前記第１のコピー管理情報は、疑似シンクパルスであることを特徴とする請求項１又は２に記載の記録装置。
【請求項４】
前記第２のコピー管理情報は、ＣＧＭＳ−Ａ方式に準拠することを特徴とする請求項１から３のいずれか１項に記載の記録装置。
【発明の詳細な説明】
【０００１】
【発明の属する技術分野】
本発明は、デジタルビデオ信号及びアナログビデオ信号を取り扱う記録装置に関する。
【０００２】
【従来の技術】
近年、デジタル信号処理技術の導入に伴うビデオ信号の高画質化、又、音声信号の高音質化などに伴い、この種のデジタルコンテンツを扱う装置において、その著作権保護の観点での装置の構成を考慮する必要がでてきた。例えば、デジタル動画像信号を記録再生するデジタルＶＴＲや、デジタルカムコーダにおいても、著作権保護の観点から入出力端子を持つ場合にも、コピー制限などの機能を装備させることが必要になる。
【０００３】
例えば、デジタルビデオ信号やデジタルオーディオ信号の入出力端子を設ける場合には、そのデジタル信号内にコピー・ジェネレーション・マネージメント・システムデータ（以下、単にＣＧＭＳデータ）を定義し、装置としてこの定義されたＣＧＭＳデータに従った著作権保護のための制御、すなわち、コピー禁止や、コピー回数（世代）制御のための処置をすることが必要となっている。
【０００４】
一方、この種のデジタル機器において、アナログビデオ信号の入出力端子を設ける場合には、別途、ビデオ信号の垂直帰線期間内にパルスを付加したり、そのパルスの有無を検出するなどして、上述の如き著作権保護のための制御を行うことが行われている。
【０００５】
【発明が解決しようとする課題】
しかしながら、一方に於いてはこの様な著作権保護のためのシステムの数々は、装置に従来必要ではなかった新規な機能を追加することになり、装置規模の大型化やシステム構成の複雑化等により、低コスト化の妨げになることもあり、特に、著作権保護が必要なコンテンツを扱う機会が少ないカムコーダや電子カメラといった製品においてはメーカー側では負担となり、ユーザ側からのメリットも少なくなる可能性がある。
【０００６】
このように、一方で著作権保護の観点から上述の如き著作権保護の観点からのシステム構成は必須であり、一方でユーザとしてはアナログの入出力もデジタルの入出力もできるデジタル機器への要望が高い。しかし、このようにさまざまな入出力端子を設けることが、システム構成の複雑さを招く結果となり著作権保護を必要としないコンテンツを主に扱う装置においては悪戯にコストを高くする場合もあった。
【０００７】
そこで、本発明は、デジタルビデオ信号及びアナログビデオ信号の著作権保護を実現しつつ、低コストなシステム構成を実現した記録装置を提供することを目的とする。
【０００８】
【課題を解決するための手段】
本発明に係る記録装置は、アナログビデオ信号を外部から入力する入力手段と、前記アナログビデオ信号をデジタルビデオ信号に変換する変換手段と、前記デジタルビデオ信号を記録媒体に記録する記録手段と、前記デジタルビデオ信号を外部に出力する出力手段と、前記アナログビデオ信号に付加された第１のコピー管理情報及び第２のコピー管理情報を検出する検出手段と、前記デジタルビデオ信号の前記記録媒体への記録と、前記デジタルビデオ信号の外部への出力とを、前記第１のコピー管理情報及び前記第２のコピー管理情報に従って制御する制御手段とを有し、前記第１のコピー管理情報及び前記第２のコピー管理情報が検出されなかった場合、前記制御手段は、前記デジタルビデオ信号の前記記録媒体への記録を許可するとともに、前記デジタルビデオ信号の外部への出力を許可し、前記第１のコピー管理情報が検出され、前記第２のコピー管理情報が検出されなかった場合、前記制御手段は、前記デジタルビデオ信号の前記記録媒体への記録を停止するとともに、前記デジタルビデオ信号の外部への出力を停止し、前記第２のコピー管理情報が検出された場合であり、かつ、前記第２のコピー管理情報がコピーフリーを示すものである場合、前記制御手段は、前記デジタルビデオ信号の前記記録媒体への記録を許可するとともに、前記デジタルビデオ信号の外部への出力を許可し、前記第２のコピー管理情報が検出された場合であり、かつ、前記第２のコピー管理情報がコピーフリーを示すものでない場合、前記制御手段は、前記デジタルビデオ信号の前記記録媒体への記録を停止するとともに、前記デジタルビデオ信号の外部への出力を停止することを特徴とする。
【００１６】
【発明の実施の形態】
以下、本発明の記録装置、再生装置、記録再生装置及び表示装置について図面を用いて詳細に説明する。
【００１７】
図１は本発明に係る実施例であるカメラ一体型デジタルビデオカメラ（以下、デジタルカムコーダ）の構成を示すブロック図である。
【００１８】
図１において、１０１はアナログ入出力端子で、アナログコンテンツ（例えば、アナログビデオ信号やアナログオーディオ信号等）の入力と出力とを１つの端子で共用する。１０２はデジタル入出力端子で、デジタルコンテンツ（例えば、デジタルビデオ信号やデジタルオーディオ信号等）の入力と出力とを１つの端子で共用する。１０３はコンバータで、アナログコンテンツをデジタル信号に変換すると共に、デジタルコンテンツをアナログ信号に変換する。１０４はデジタルインタフェースで、ＩＥＥＥ１３９４規格に準拠した機能を具備し、デジタルビデオ信号及びデジタルオーディオ信号をIsochronous転送する。尚、Isochronous転送とは、一定量のデータを略一定となる時間間隔で転送することを保証する転送方式である。１０５はコピー管理情報検出部で、アナログコンテンツ、或いはデジタルコンテンツに付加されたコピー管理情報を検出する。１０６は撮像部で、被写体の光学像から所定のデジタルビデオ信号を生成する。
【００１９】
又、図１において、１０７は信号処理部で、デジタル入出力端子１０２から入力されたデジタルコンテンツ、アナログ入出力端子１０１から入力されたアナログコンテンツ、撮像部１０６にて生成されたデジタルビデオ信号に対して所定の信号処理を施し、その処理結果を制御部１１１の制御に応じてコンバータ１０３、デジタルインタフェース１０４、記録再生部１０８、表示パネル１１０の少なくともに一つに供給する。１０８は記録媒体１０９を駆動させる機構を有する記録再生部で、信号処理部１０７から供給されたデジタルコンテンツを記録媒体１０９に記録すると共に、記録媒体１０９から所望のデジタルコンテンツを再生する。１０９は磁気テープ、磁気ディスク等の記録媒体である。１１０はＬＣＤ等の表示パネルで、コピーがフリーの場合、信号処理部１０７から供給されたデジタルコンテンツを表示する。尚、表示パネル１１０は、撮像部１０６にて生成されたデジタルビデオ信号も表示可能である。
【００２０】
更に、図１において、１１１はマイクロコンピュータからなる制御部で、本実施例のデジタルカムコーダ全体の処理動作を制御する。特に制御部１１１は、コピー管理情報検出部１０５の検出結果に基づいて信号処理部１０７と記録再生部１０８の処理動作を制御する。１１２はコントロールパネルで、ユーザから指示（例えば、記録及び再生の開始、一時停止、終了）を制御部１１１に通知する。
【００２１】
本実施例では、アナログコンテンツ（特に、アナログビデオ信号）のコピー管理情報としてＣＧＭＳ−Ａ（Copy Generation Management System-Analog）方式と擬似シンクパルス方式とを用いる場合について説明する。制御部１１１は、これらのコピー管理情報に基づいて、アナログ入出力端子１０１から供給されるアナログコンテンツの記録を制御し、そのコンテンツの著作権を管理する。ここで、アナログコンテンツには、放送局からアナログ信号として送信された映画や放送番組、磁気テープや光ディスク等の記憶媒体から再生されたＮＴＳＣ方式のアナログビデオ信号やアナログオーディオ信号等が含まれる。
【００２２】
上述のＣＧＭＳ−Ａ方式とは、アナログビデオ信号の水平ブランキング期間中に挿入された３種類のコピー管理情報（以下、ＣＧＭＳ−Ａコード）によりその信号の記録を制御する方式である。即ち、ＣＧＭＳ−Ａコードが「００」の場合、そのビデオ信号はコピーフリーであることを示し、「１１」である場合、そのビデオ信号はコピー不可であることを示す。又、ＣＧＭＳ−Ａコードが「１０」である場合、ビデオ信号は一回のみコピー可能であることを示す。
【００２３】
上述の擬似シンクパルス方式とは、アナログビデオ信号に付加された擬似シンクパルスによりその信号の録画を制限する方式である。ここで、擬似シンクパルスとは、アナログビデオ信号の垂直帰線期間のラインの第１フィールド及び第２のフィールドのいくつかの水平ラインに正規の垂直帰線の同期パルス以外の部分に挿入された負方向のパルスと、このパルスの直後に挿入された正方向パルスとにより構成される。
【００２４】
又、本実施例では、デジタルコンテンツ（特に、デジタルビデオ信号やデジタルオーディオ信号）のコピー管理情報としてＣＧＭＳ−Ｄ（Copy Generation Management System-Digital）方式を用いる場合について説明する。制御部１１１は、このコピー管理情報に基づいて、デジタル入出力端子１０２から供給されたデジタルコンテンツの記録を制御し、そのコンテンツの著作権を管理する。ここで、デジタルコンテンツには、衛星放送からデジタル信号として送信された映画や放送番組、磁気テープや光ディスク等の記憶媒体から再生された民生用デジタルビデオ方式（ＤＶ方式）に準拠したデジタルビデオ信号、デジタルオーディオ信号等が含まれる。
【００２５】
上述のＣＧＭＳ−Ｄ方式とは、デジタルビデオ信号のビデオ補助データやデジタルオーディオ信号のオーディオ補助データに含まれる３種類のコピー管理情報（以下、ＣＧＭＳ−Ｄコード）により各信号の記録を制御する方式である。即ち、ＣＧＭＳ−Ｄコードが「００」の場合、そのビデオ信号はコピーフリーであることを示し、「１１」である場合、そのビデオ信号はコピー不可であることを示す。又、ＣＧＭＳ−Ｄコードが「１０」である場合、そのビデオ信号は一回のみコピー可能であることを示す。
【００２６】
次に、本実施例のデジタルカムコーダが、上述のコピー管理情報を用いて、デジタルコンテンツ及びアナログコンテンツの著作権を保護する方法について説明する。
【００２７】
（１）外部入力されたデジタルコンテンツを記録する場合
図２を用いて、本実施例のデジタルカムコーダが、デジタル入出力端子１０２を介して外部入力されたデジタルコンテンツを記録する場合の処理動作について説明する。
【００２８】
ステップＳ２００において、ユーザは、コントロールパネル１１２を用いて外部のデジタルコンテンツを記録するように指示する。
【００２９】
ステップＳ２０１において、デジタル入出力端子１０２は、外部からデジタルコンテンツを入力する。
【００３０】
ステップＳ２０２において、コピー管理情報検出部１０５は、デジタルコンテンツからコピー管理情報（即ち、ＣＧＭＳ−Ｄコード）を常に検出する。
【００３１】
ステップＳ２０３において、コピー管理情報検出部１０５は、デジタルコンテンツから検出されたＣＧＭＳ−Ｄコードの内容を判別し、その判別結果（即ち、コピー可又はコピー不可）を制御部１１１に供給する。
【００３２】
ここで、コピー管理情報検出部１０５は、デジタルコンテンツから検出されたＣＧＭＳ−Ｄコードが「００」である場合にのみコピー可と判別し、「１０」及び「１１」である場合にコピー不可とする。これにより、コピー管理情報検出部１０５の構成を複雑にすることなく、デジタルコンテンツの著作権保護を実現できる。
【００３３】
ステップＳ２０３の結果、コピー管理情報の内容が「００」であると判別された場合、制御部１１１は、信号処理部１０７及び記録再生部１０８に対して記録許可信号を与える（ステップＳ２０４）。この記録許可信号を受信した場合、信号処理部１０７は、上述のデジタルコンテンツを表示パネル１１０及び記録再生部１０８に供給すると共に、アナログ入出力端子１０１に供給可能とする。又、記録再生部１０７は、記録許可信号を受信した後、記録媒体１０９に対してデジタルコンテンツの記録を開始する。
【００３４】
記録の開始が指示された後、制御部１１１は、常にコピー管理情報検出部１０５から供給される判別結果を調べ、上述のデジタルコンテンツのコピー管理情報が「００」以外に変化した否かを検出する（ステップＳ２０５）。
【００３５】
ステップＳ２０５の結果、コピー管理情報の内容が「００」以外に変化しなかった場合、制御部１１１は、コントロールパネル１１２から記録終了の指示を受信するまで信号処理部１０７及び記録再生部１０８に対して記録許可信号を与える（ステップＳ２０６）。
【００３６】
又、ステップＳ２０５の結果、コピー管理情報の内容が「００」以外に変化した場合、制御部１１１は、信号処理部１０７及び記録再生部１０８に記録禁止信号を与え、ステップＳ２０７以下の処理を実行する。
【００３７】
上述のステップＳ２０３の結果、コピー管理情報の内容が「００」でないと判別された場合、制御部１１１は、信号処理部１０７及び記録再生部１０８に記録禁止信号を与える（ステップＳ２０７）。この記録禁止信号を受信した場合、記録再生部１０８は、記録媒体１０９への記録動作を一時停止する。又、信号処理部１０７は、この記録禁止信号を受信した後、アナログ入出力端子１０１、表示パネル１１０、記録再生部１０８に対するデジタルコンテンツの供給を一時的に禁止し、表示パネル１１０に対して記録の停止を示す警告信号を供給する。
【００３８】
尚、信号処理部１０７は、記録禁止信号を受信した後、ブルーバック信号と記録の停止を示す警告信号とを生成し、これらの信号を表示パネル１１０に供給するようにしてもよい。これにより、表示パネル１１０は、ブルーバック信号と警告信号とを重畳させて表示することになり、デジタルコンテンツの表示が実質的に阻止される。又、信号処理部１０７は、ブルーバック信号とは別に、デジタルコンテンツの一部をマスクしたマスク信号を生成し、警告信号と共に表示パネル１１０に供給してもよい。更に、信号処理部１０７は、ブルーバック信号をアナログ入出力端子１０１や記録再生部１０８に供給し、デジタルコンテンツのアナログ出力や記録動作を実質的に禁止するように構成してもよい。
【００３９】
記録の停止が指示された後、制御部１１１は、常にコピー管理情報検出部１０５から供給される判別結果を調べ、上述のデジタルコンテンツのコピー管理情報が「００」に変化した否かを検出する（ステップＳ２０８）。
【００４０】
ステップＳ２０８の結果、コピー管理情報の内容が「００」に変化した場合、制御部１１１は、信号処理部１０７及び記録再生部１０８に対して記録許可信号を与え、ステップＳ２０４以下の処理を実行する。
【００４１】
又、ステップＳ２０８の結果、コピー管理情報の内容が「００」に変化しなかった場合、制御部１１1は、コントロールパネル１１２から記録終了の指示を受信するまで信号処理部１０7及び記録再生部１０8に対して記録禁止信号を与える（ステップＳ２０９）。
【００４２】
ステップＳ２０６、Ｓ２０９において、コントロールパネル１１２から記録終了の指示を受信した場合、制御部１１１は、信号処理部１０７及び記録再生部１０８に対して記録終了信号を与える。信号処理部１０７及び記録再生部１０８は、記録終了信号を受信した後、記録動作を終了する。
【００４３】
以上の処理動作を図３にまとめる。図３は、外部入力されたデジタルコンテンツのコピー管理情報と、それに対応して変化する各処理部の動作状態を説明する図である。
【００４４】
このように制御することにより、アナログ入出力端子１０１、デジタル入出力端子１０２、記録再生部１０８を具備するデジタルカムコーダにおいて、複雑なコピー管理機能を追加することなくデジタルコンテンツの著作権を保護することができ、低コストで合理的なシステム構成を実現することができる。
【００４５】
特に、本実施例のデジタルカムコーダは、コピーフリーでないデジタルコンテンツを外部入力する場合に、そのコンテンツのアナログ出力を実質的に禁止している。これにより、カムコーダのような装置に対してアナログコンテンツ用のコピー管理情報を付加する機能を追加することなくデジタルコンテンツの著作権を保護することができる。
【００４６】
更に、本実施例のデジタルカムコーダは、コピーフリーでないデジタルコンテンツを外部端子から入力して記録する場合に、そのコンテンツの記録動作を一時的に停止すると共に、そのコンテンツの表示を中止して警告を表示している。これにより、関連する動作の不整合によって生ずるユーザの混乱を防止することができる。
【００４７】
（２）外部入力されたアナログコンテンツを記録する場合
図４を用いて、本実施例のデジタルカムコーダが、アナログ入出力端子１０１を介して外部入力されたアナログコンテンツを記録する場合の処理動作について説明する。
【００４８】
ステップＳ４００において、ユーザは、コントロールパネル１１２を用いて外部のアナログコンテンツを記録するように指示する。
【００４９】
ステップＳ４０１において、アナログ入出力端子１０１は、外部からアナログコンテンツを入力する。
【００５０】
ステップＳ４０２において、コピー管理情報検出部１０５は、デジタル化されたアナログコンテンツからコピー管理情報（即ち、ＣＧＭＳ−Ａコード及び擬似シンクパルス）を常に検出する。
【００５１】
ステップＳ４０３において、コピー管理情報検出部１０５は、アナログコンテンツから検出されたコピー管理情報の内容を判別し、その判別結果（即ち、コピー可又はコピー不可）を制御部１１１に供給する。
【００５２】
ここで、アナログコンテンツから検出されたコピー管理情報が擬似シンクパルスのみであった場合、コピー管理情報検出部１０５は、擬似シンクパルスの有無によりコピーの可否を判別する。即ち、擬似シンクパルスがある場合をコピー不可、ない場合をコピー可とする。又、アナログコンテンツから検出されたコピー管理情報がＣＧＭＳ−Ａコードのみであった場合、コピー管理情報検出部１０５は、ＣＧＭＳ−Ａコードの内容によりコピーの可否を判別する。即ち、ＣＧＭＳ−Ａコードが「００」である場合のみをコピー可とし、「１０」及び「１１」である場合をコピー不可とする。更に、アナログコンテンツから検出されたコピー管理情報としてＣＧＭＳ−Ａコードと擬似シンクパルスが検出された場合、ＣＧＭＳ−Ａコードのみを有効とし、その内容に従ってコピーの可否を判定する。これにより、コピー管理情報検出部１０５の構成を複雑にすることなく、アナログコンテンツの著作権保護を実現できる。
【００５３】
ステップＳ４０３の結果、コピー可であると判別された場合、制御部１１１は、信号処理部１０７及び記録再生部１０８に対して記録許可信号を与える（ステップＳ４０４）。この記録許可信号を受信した場合、信号処理部１０７は、上述のデジタル化されたアナログコンテンツを記録再生部１０８と表示パネル１１０とに供給すると共に、デジタル入出力端子１０２にも供給可能とする。又、記録再生部１０７は、記録許可信号を受信した後、信号処理部１０７から供給されるアナログコンテンツを記録媒体１０９に対して記録する。
【００５４】
記録の開始が指示された後、制御部１１１は、常にコピー管理情報検出部１０５から供給される判別結果を調べ、コピー管理情報検出部１０５がコピー不可となるコピー管理情報を検出したか否かを判別する（ステップＳ４０５）。
【００５５】
ステップＳ４０５の結果、コピー管理情報検出部１０５の判別結果が変化しなかった場合、制御部１１１は、コントロールパネル１１２から記録終了の指示を受信するまで信号処理部１０７及び記録再生部１０８に対して記録許可信号を与える（ステップＳ４０６）。
【００５６】
又、ステップＳ４０５の結果、コピー管理情報検出部１０５の判別結果が変化した場合、制御部１１１は、信号処理部１０７及び記録再生部１０８に記録禁止信号を与え、ステップＳ４０７以下の処理を実行する。
【００５７】
上述のステップＳ４０３の結果、コピー不可であると判別された場合、制御部１１１は、信号処理部１０７及び記録再生部１０８に記録禁止信号を与える（ステップＳ４０７）。この記録禁止信号を受信した場合、記録再生部１０８は、記録媒体１０９への記録動作を一時停止する。又、信号処理部１０７は、この記録禁止信号を受信した後、デジタル入出力端子１０２、表示パネル１１０、記録再生部１０８に対するアナログコンテンツの供給を一時的に禁止し、表示パネル１１０に対して記録の停止を示す警告信号を供給する。
【００５８】
尚、信号処理部１０７は、記録禁止信号を受信した後、ブルーバック信号と記録の停止を示す警告信号とを生成し、これらの信号を表示パネル１１０に供給するようにしてもよい。これにより、表示パネル１１０は、ブルーバック信号と警告信号とを重畳させて表示することになり、アナログコンテンツの表示が実質的に阻止される。又、信号処理部１０７は、ブルーバック信号とは別に、アナログコンテンツの一部をマスクしたマスク信号を生成し、警告信号と共に表示パネル１１０に供給してもよい。更に、信号処理部１０７は、ブルーバック信号をデジタル入出力端子１０２や記録再生部１０８に供給し、アナログコンテンツのデジタル出力や記録動作を実質的に禁止するように構成してもよい。
【００５９】
記録の停止が指示された後、制御部１１１は、常にコピー管理情報検出部１０５から供給される判別結果を調べ、コピー管理情報検出部１０５がコピー可となるコピー管理情報を検出したか否かを判別する（ステップＳ４０８）。
【００６０】
ステップＳ４０８の結果、コピー管理情報検出部１０５の判別結果が変化した場合、制御部１１１は、信号処理部１０７及び記録再生部１０８に記録許可信号を与え、ステップＳ４０４以下の処理を実行する。
【００６１】
又、ステップＳ４０８の結果、コピー管理情報検出部１０５の判別結果が変化しなかった場合、制御部１１１は、コントロールパネル１１２から記録終了を指示を受信するまで信号処理部１０７及び記録再生部１０８に対して記録禁止信号を与える（ステップＳ４０９）。
【００６２】
ステップＳ４０６、Ｓ４０９において、コントロールパネル１１２から記録終了の指示を受信した場合、制御部１１１は、信号処理部１０７及び記録再生部１０８に対して記録終了信号を与える。信号処理部１０７及び記録再生部１０８は、記録終了信号を受信した後、記録動作を終了する。
【００６３】
以上の処理動作を図５にまとめる。図５は、外部入力されたアナログコンテンツのコピー管理情報と、それに対応して変化する各処理部の動作状態を説明する図である。
【００６４】
このように制御することにより、アナログ入出力端子１０１、デジタル入出力端子１０２、記録再生部１０８を具備するデジタルカムコーダにおいて、複雑なコピー管理機能を追加することなくアナログコンテンツの著作権を保護することができ、低コストで合理的なシステム構成を実現することができる。
【００６５】
特に、本実施例のデジタルカムコーダは、コピーフリーでないアナログコンテンツを外部入力する場合に、そのコンテンツのデジタル出力を実質的に禁止している。これにより、カムコーダのような装置に対してデジタルコンテンツ用のコピー管理情報を付加する機能を追加することなくアナログコンテンツの著作権を保護することができる。
【００６６】
更に、本実施例のデジタルカムコーダは、コピーフリーでないアナログコンテンツを外部端子から入力して記録する場合に、そのコンテンツの記録動作を一時的に停止すると共に、そのコンテンツの表示を中止して警告を表示している。これにより、関連する動作の不整合によって生ずるユーザの混乱を防止することができる。
【００６７】
（３）記録媒体１０９からデジタルコンテンツを再生する場合
図６を用いて、本実施例のデジタルカムコーダが、記録媒体１０９に記憶されたデジタルコンテンツを再生する場合の処理動作について説明する。
【００６８】
ステップＳ６００において、ユーザは、コントロールパネル１１２を用いて記録媒体１０９に記憶された所望のデジタルコンテンツを再生するように指示する。
【００６９】
ステップＳ６０１において、記録再生部１０８は、記録媒体１０９から所望のデジタルコンテンツを再生する。
【００７０】
ステップＳ６０２において、コピー管理情報検出部１０５は、記録再生部１０８から信号処理部１０７に供給されるデジタルコンテンツからコピー管理情報（即ち、ＣＧＭＳ−Ｄコード）を常に検出する。
【００７１】
ステップＳ６０３において、コピー管理情報検出部１０５は、デジタルコンテンツから検出されたコピー管理情報の内容を判別し、その判別結果（即ち、コピー可又はコピー不可）を制御部１１１に供給する。
【００７２】
ここで、コピー管理情報検出部１０５は、デジタルコンテンツから検出されたＣＧＭＳ−Ｄコードが「００」である場合にのみコピー可と判別し、「１０」及び「１１」である場合にコピー不可とする。これにより、コピー管理情報検出部１０５の構成を複雑にすることなく、デジタルコンテンツの著作権保護を実現することができる。
【００７３】
ステップＳ６０３の結果、コピー管理情報の内容が「００」であると判別された場合、制御部１１１は、信号処理部１０７に対して外部出力許可信号を与える（ステップＳ６０４）。この外部出力許可信号を受信した場合、信号処理部１０７は、上述のデジタルコンテンツをアナログ入出力端子１０１、デジタル入出力端子１０２、表示パネル１１０に供給可能とする。
【００７４】
外部出力を許可した後、制御部１１１は、常にコピー管理情報検出部１０５から供給される判別結果を調べ、コピー管理情報検出部１０５がコピー不可となるコピー管理情報を検出したか否かを判別する（ステップＳ６０５）。
【００７５】
ステップＳ６０５の結果、コピー管理情報検出部１０５の判別結果が変化しなかった場合、制御部１１１は、コントロールパネル１１２から再生終了の指示を受信するまで信号処理部１０７及び記録再生部１０８に対して外部出力許可信号を与える（ステップＳ６０６）。
【００７６】
又、ステップＳ６０５の結果、コピー管理情報検出部１０５の判別結果が変化した場合、制御部１１１は、信号処理部１０７に外部出力禁止信号を与え、ステップＳ６０７以下の処理を実行する。
【００７７】
上述のステップＳ６０３の結果、コピー管理情報の内容が「００」でないと判別された場合、制御部１１１は、信号処理部１０７に外部出力禁止信号を与える（ステップＳ６０７）。この外部出力禁止信号を受信した後、信号処理部１０７は、アナログ入出力端子１０１、デジタル入出力端子１０２、表示パネル１１０に対するデジタルコンテンツの供給を一時的に禁止し、表示パネル１１０に対して外部出力の停止を示す警告信号を供給する。
【００７８】
尚、信号処理部１０７は、外部出力禁止信号を受信した後、ブルーバック信号と外部出力の停止を示す警告信号とを生成し、これらの信号を表示パネル１１０に供給するようにしてもよい。これにより、表示パネル１１０は、ブルーバック信号と警告信号とを重畳させて表示することになり、デジタルコンテンツの表示が実質的に阻止される。又、信号処理部１０７は、ブルーバック信号とは別に、デジタルコンテンツの一部をマスクしたマスク信号を生成し、警告信号と共に表示パネル１１０に供給してもよい。更に、信号処理部１０７は、ブルーバック信号やダミー信号をアナログ入出力端子１０１及びデジタル入出力端子１０２に供給し、デジタルコンテンツのアナログ出力やデジタル出力を実質的に禁止するように構成してもよい。
【００７９】
外部出力の禁止を指示した後、制御部１１１は、常にコピー管理情報検出部１０５から供給される判別結果を調べ、上述のデジタルコンテンツのコピー管理情報が「００」に変化した否かを検出する（ステップＳ６０８）。
【００８０】
ステップＳ６０８の結果、コピー管理情報の内容が「００」に変化した場合、制御部１１１は、信号処理部１０７に対して外部出力許可信号を与え、ステップＳ６０４以下の処理を実行する。
【００８１】
又、ステップＳ６０８の結果、コピー管理情報の内容が「００」に変化しなかった場合、制御部１１1は、コントロールパネル１１２から再生終了の指示を受信するまで信号処理部１０7に対して外部出力禁止信号を与える（ステップＳ６０９）。
【００８２】
ステップＳ６０６、Ｓ６０９において、コントロールパネル１１２から再生終了の指示を受信した場合、制御部１１１は、信号処理部１０７及び記録再生部１０８に対して再生終了信号を与える。信号処理部１０７及び記録再生部１０８は、再生終了信号を受信した後、再生動作を終了する。
【００８３】
以上の処理動作を図７にまとめる。図７は、記録媒体１０９から再生されたデジタルコンテンツのコピー管理情報と、それに対応して変化する各処理部の動作状態を説明する図である。
【００８４】
このように制御することにより、アナログ入出力端子１０１、デジタル入出力端子１０２、記録再生部１０８を具備するデジタルカムコーダにおいて、複雑なコピー管理機能を追加することなくデジタルコンテンツの著作権を保護することができ、低コストで合理的なシステム構成を実現することができる。
【００８５】
特に、本実施例のデジタルカムコーダは、コピーフリーでないデジタルコンテンツを再生する場合に、そのコンテンツのアナログ出力を実質的に禁止している。これにより、カムコーダのような装置に対してアナログコンテンツ用のコピー管理情報を付加する機能を追加することなくデジタルコンテンツの著作権を保護することができる。
【００８６】
更に、本実施例のデジタルカムコーダは、コピーフリーでないデジタルコンテンツを再生する場合に、そのコンテンツのデジタル出力及びアナログ出力を実質的に禁止すると共に、そのコンテンツの表示を中止して警告を表示している。これにより、関連する動作の不整合によって生ずるユーザの混乱を防止することができる。
【００８７】
尚、本発明はその精神、又はその主要な特徴から逸脱することなく、様々な形で実施することができる。
【００８８】
例えば、本実施例として図１に示すデジタルカムコーダについて説明したが、それに限るものではない。例えば、モニタ、記録再生部、アナログ入出力端子、デジタル入出力端子を一体的に具備したテレビデオのような装置に適用することも可能である。
【００８９】
又、モニタ、アナログ入出力端子、デジタル入出力端子を一体的に具備し、上述の実施例に示した機能の内、少なくとも次のような機能を具備する表示装置であってもよい。
【００９０】
第１に、外部入力されたアナログコンテンツ或いはデジタルコンテンツから上述のコピー管理情報を検出する機能。
【００９１】
第２に、外部入力されたアナログコンテンツのコピー管理情報がコンテンツのコピーを制限するものであった場合に、そのコンテンツの表示とそのコンテンツのデジタル出力を実質的に禁止するように制御する機能。
【００９２】
第３に、外部入力されたデジタルコンテンツのコピー管理情報がコンテンツのコピーを制限するものであった場合に、そのコンテンツの表示とそのコンテンツのデジタル出力を実質的に禁止するように制御する機能。
【００９３】
このような機能を有することにより、アナログ入出力端子とデジタル入出力端子とを具備する表示装置において、複雑な著作権管理機能を追加することなく各種コンテンツの著作権を保護することができ、低コストで合理的なシステム構成を実現することができる。
【００９４】
従って、前述の実施例はあらゆる点おいて単なる例示に過ぎず、限定的に解釈してはならない。
【００９５】
【発明の効果】
以上説明したように、本発明によれば、デジタルビデオ信号及びアナログビデオ信号の著作権保護を実現しつつ、低コストなシステム構築を実現した記録装置を提供することができる。
【図面の簡単な説明】
【図１】本実施例のカメラ一体型デジタルビデオカメラの構成を示すブロック図。
【図２】外部入力されたデジタルコンテンツを記録する場合の処理動作を説明するフローチャート。
【図３】外部入力されたデジタルコンテンツのコピー管理情報と、それに対応して変化する各処理部の動作状態を説明する図。
【図４】外部入力されたアナログコンテンツを記録する場合の処理動作を説明するフローチャート。
【図５】外部入力されたアナログコンテンツのコピー管理情報と、それに対応して変化する各処理部の動作状態を説明する図。
【図６】記録媒体１０９に記憶されたデジタルコンテンツを再生する場合の処理動作を説明するフローチャート。
【図７】記録媒体１０９から再生されたデジタルコンテンツのコピー管理情報と、それに対応して変化する各処理部の動作状態を説明する図。
【図１】
0004343287.tif 000002
【図２】
0004343287.tif 000003
【図３】
0004343287.tif 000004
【図４】
0004343287.tif 000005
【図５】
0004343287.tif 000006
【図６】
0004343287.tif 000007
【図７】
0004343287.tif 000008